(57)【要約】【課題】金属管型光ファイバケーブルの端末部に可撓性を与えるためにシースに代えて端末部の光ファイバ心線上に被せる可撓性チューブを余分な部材を使わずに接続のずれを防止して信頼性良く取り付ける。【解決手段】シース２を剥がして露出させた金属管３の一部を切り残し、除去した被覆に代えて光ファイバ心線４の外周に被せる保護チューブ５を切り残した金属管３の外周に嵌め、圧縮スリーブ６でかしめて金属管３上に固定するようにした。【選択図】　図１
2004133210.tif 000002
【特許請求の範囲】
【請求項１】
金属管型光ファイバケーブルの端末部のシースと金属管を各々所定長さ剥ぎ取って金属管の一部と金属管内の単心又は多心の光ファイバ心線を露出させ、さらに、光ファイバ心線の露出部に可撓性に優れる１本の保護チューブを被せ、その保護チューブの一端を露出した金属管の外周に嵌めて金属管に固定し、前記光ファイバ心線の端部に光コネクタを接続し、この光コネクタと金属管を前記保護チューブを介して連結した金属管型光ファイバケーブルの光コネクタ付き端末部。
【請求項２】
金属管に対する保護チューブの固定を、保護チューブの外周に嵌めた圧縮スリーブのかしめによって行った請求項１記載の金属管型光ファイバケーブルの光コネクタ付き端末部。
【発明の詳細な説明】
【０００１】
【発明の属する技術分野】
この発明は、金属管型光ファイバケーブルの光コネクタ付き端末部に関する。
【０００２】
【従来の技術】
金属管型光ファイバケーブルは、単心又は多心の光ファイバ心線を金属管で覆い、さらに、その外側をシースで覆った構造になっている。この金属管型光ファイバケーブルは曲げ剛性が高く、端末部に光コネクタを直接取り付けると、機器との接続の自由度が得られない。本出願人は、この問題を解決した金属管型光ファイバケーブルの光コネクタ付き端末部を特許第３００６５９５号で提案している。
【０００３】
その端末部は、ケーブル端の被覆を金属管も含めて所定長さ剥ぎ取り、その被覆に代わる可撓性チユーブをケーブルの被覆端に直接突き合わせるか又は一端が金属管の内側に、他端がチューブの外側に各々嵌まる段付き筒状体を介して突き合わせて露出した光ファイバ心線に被せ、ケーブル被覆とチューブの突き合わせ部の外周を熱収縮チューブで覆う構造にしている。
【０００４】
【発明が解決しょうとする課題】
上記特許広報の光コネクタ付き端末部は、ケーブルとチューブを軸心のずれを生じさせずに接続するために、段付き筒状体をジョイントとして使用しているが、この段付き筒状体を用いると部材コストが高くなる。
【０００５】
また、ケーブル被覆とチューブ間の接続強度を熱収縮チューブで得るので、強い引っ張りに耐えられない。さらに、熱収縮チューブの収縮作業がそのチューブの固定力を左右するが、収縮の管理が難しいため、固定力が変動し易い。
【０００６】
このほか、熱収縮チューブを収縮させるための熱源機器を稼働させる電源を必要とし、端末加工を行う場所も規制される。
【０００７】
この発明は、これらの不具合を解消することを課題としている。
【０００８】
【課題を解決するための手段】
上記の課題を解決するため、この発明においては、金属管型光ファイバケーブルの端末部のシースと金属管を各々所定長さ剥ぎ取って金属管の一部と金属管内の単心又は多心の光ファイバ心線を露出させ、さらに、光ファイバ心線の露出部に可撓性に優れる１本の保護チューブを被せ、その保護チューブの一端を露出した金属管の外周に嵌めて金属管に固定し、前記光ファイバ心線の端部に光コネクタを接続し、この光コネクタと金属管を前記保護チューブを介して連結するようにしたのである。
【０００９】
金属管に対する保護チューブの固定は、保護チューブの外周に圧縮スリーブを嵌め、その圧縮スリーブをかしめて行うのがよい。
【００１０】
【作用】
この発明の端末部は、保護チューブを金属管の外周に嵌めて固定するので、余分な部材を使わずに保護チューブとケーブルの径方向の接続ずれを防止することができ、処理コストが下がる。
【００１１】
また、金属管に対する保護チューブの固定を圧縮スリーブを用いて行うものは、かしめによる機械的な固定となるので、強い固定力が得られ、固定力の管理も簡単で接続の信頼性が向上する。
【００１２】
圧縮スリーブのかしめは、簡単な工具を用いて人力で行える。従って、電源等の準備が不要で、作業場所の制限も緩和される。
【００１３】
【発明の実施の形態】
以下、添付図に基づいてこの発明の実施形態を加工手順とともに述べる。図１（ａ）の１は、金属管型光ファイバケーブルである。このケーブル１のシース２を末端から所定長さ切除して金属管３を剥ぎ出す。次いで、露出した金属管３を、一部を残して切除し、内部の光ファイバ心線４を露出させる（図１（ｂ））。
【００１４】
次に、光ファイバ心線４の外周にＰＶＣやポリアミド樹脂等からなる保護チューブ５を被せる（図１（ｃ））。このとき、保護チューブ５の一端を金属管３の端部にも被せる。保護チューブ５は、アラミド繊維等で形成されるテンションメンバ６を内部に引き通したものや補強層を複合化して設けたものが好ましい。
【００１５】
この後、保護チューブ５の外周に圧縮スリーブ７を嵌め（図１（ｄ））、このスリーブ７を外側からかしめ具でかしめて金属管３上に固定する（図１（ｅ））。
【００１６】
そしてさらに、シース２と保護チューブ５との間に金属管３と保護チューブ５の接続部を覆い隠す保護ブーツ８を取付け、光ファイバ心線４と保護チューブ５の端部に光コネクタ９を取り付ける。保護ブーツ８には、金属管３の切断端で保護チューブ５が急激に曲げられることを防ぎ、光ファイバ心線４の断線を防止する働きもある。以上で端末の処理作業が完了し、金属管３と光コネクタ９が保護チューブ５を介して連結された図１（ｆ）の端末部が完成する。
【００１７】
図２は、金属管３に対する保護チューブ固定部の詳細を示している。テンションメンバ６を内部に引き通した保護チューブ５を用いる場合には、図２（ａ）に示すようにテンションメンバ６の端部を折り返さずに処理する場合と、図２（ｂ）に示すように折り返して圧縮スリーブ７と保護チューブ５との間に挟み込む場合が考えられる。どちらの構造を採用してもよいが、引き留めの安定性は後者の構造の方が高い。なお、テンションメンバ６の折り返しは、圧縮スリーブ７をテンションメンバ６の内側にもぐり込ませ、その後、圧縮スリーブ７を図２（ｂ）の矢印方向に移動させて保護チューブ５の外周に嵌める方法で行える。或いは、図１の（ａ）または（ｂ）の状態で先に圧縮スリーブ７を金属管３に挿通しておき、その後に保護チューブ５を圧縮スリーブ７にもぐり込ませるようにしながら金属管３に被せる方法でも実現可能である。
【００１８】
【発明の効果】
以上述べたように、この発明の光コネクタ付き端末部は、シースを剥がして露出させた金属管の一部を切り残し、除去した被覆に代えて光ファイバ心線の外周に被せる保護チューブを切り残した金属管の外周に嵌めて固定するようにしたので、余分な部材を使わずにケーブルと保護チューブの径方向の接続ずれを防止することができ、端末処理コストの低減が図れる。
【００１９】
金属管に対する保護チューブの固定を、圧縮スリーブで行うものは、接続強度と接続の信頼性も高まる。また、圧縮スリーブのかしめを人力で行えるので、作業場所の制限を受けることも少なくなる。
【図面の簡単な説明】
【図１】この発明の端末部の加工手順を示す図
【図２】（ａ）金属管に対する保護チューブ固定部の拡大断面図
（ｂ）金属管に対する保護チューブ固定部の他の例を示す拡大断面図
【符号の説明】
１　金属管型光ファイバケーブル
２　シース
３　金属管
４　光ファイバ心線
５　保護チューブ
６　テンションメンバ
７　圧縮スリーブ
８　保護ブーツ
９　光コネクタ
【図１】
2004133210.tif 000003
【図２】
2004133210.tif 000004